(57)【要約】【課題】人体への電極の装着安定性と操作性を向上させ、測定再現性を確保できる健康管理指針アドバイス装置を提供する。【解決手段】腹部前電極ユニット３ａ及び背中電極ユニット３ｄは、略コの字形状の可撓性部材からなる支持体４の端部に設けられている。支持体４の端部におおいて伸縮自在にベルト体２が接続される。ベルト体２の中央部には背中電極ユニット３ｂ，３ｃが固定されている。支持体４の中央部には把持部５が設けられている。【選択図】　図１
2004135698.tif 000002
【特許請求の範囲】
【請求項１】
被験者の腹部に接触させる複数の電極を備え、
前記腹部に接触させた電極のうちいずれかの電極間のインピーダンスを測定することにより健康管理に有益な指針情報を提供する健康管理指針アドバイス装置において、
前記電極を支持するベルト状部材と、
前記ベルト状部材を支持するベルト状部材支持手段と、
を備えた健康管理指針アドバイス装置。
【請求項２】
前記ベルト状部材支持手段は、可撓性を有する略コの字形状部材であり、
前記ベルト状部材は前記ベルト状部材支持手段に対して伸縮自在に支持されており、
前記腹部に接触させる電極として、腹部の前面，側面及び背面にそれぞれ接触させる腹部前電極，脇腹電極及び背中電極を備える請求項１に記載の健康管理指針アドバイス装置。
【請求項３】
前記脇腹電極は、前記腹部前電極と背中電極とに対して中央部に位置する請求項１又は２に記載の健康管理指針アドバイス装置。
【請求項４】
前記腹部の周囲の少なくとも一部の長さを測定する腹部周長測定手段を備えた請求項１乃至３のいずれかに記載の健康管理指針アドバイス装置。
【請求項５】
前記腹部周長測定手段による測定結果を用いて前記健康管理に有益な指針情報を提供する機能を有する請求項４に記載の健康管理指針アドバイス装置。
【請求項６】
前記ベルト状部材が腹部周長測定手段を構成する請求項４又は５に記載の健康管理指針アドバイス装置。
【請求項７】
前記腹部周長測定手段は、前記ベルト状部材に沿って設けられている請求項４又は５に記載の健康管理指針アドバイス装置。
【請求項８】
前記腹部周長測定手段は、前記腹部の周囲の一部の長さを測定する機能を有し、
前記腹部の周囲の一部の長さの測定値に基づいて腹部の周囲の全長を算出する腹部全周長算出手段を備えた請求項４乃至７のいずれかに記載の健康管理指針アドバイス装置。
【請求項９】
前記腹部全周長算出手段によって算出された腹部の周囲の全長を表示する表示手段を備えた請求項８に記載の健康管理指針アドバイス装置。
【請求項１０】
前記腹部前電極と前記背中電極との距離を調節する距離調節手段を備えた請求項２に記載の健康管理指針アドバイス装置。
【請求項１１】
前記腹部前電極及び前記背中電極の少なくともいずれか一方を、前記ベルト状部材支持手段に対して揺動可能に支持する電極支持手段を備えた請求項１０に記載の健康管理指針アドバイス装置。
【発明の詳細な説明】
【０００１】
【発明の属する技術分野】
本発明は、体脂肪率、内臓脂肪面積などの健康管理に有益な指針情報を提供する健康管理指針アドバイス装置に関する。
【０００２】
【従来の技術】
腹部周囲に電極を複数配置して腹部の体脂肪率を測定しようとする装置において、ベルト状のものに電極を固定する技術が提案されている（例えば、特許文献１、特許文献２、特許文献３参照。）。
【０００３】
【特許文献１】
特開平１１−１１３８７０号公報
【特許文献２】
特開平１１−１２３１８２号公報
【特許文献３】
特開２０００−１７５８７５号公報
【０００４】
しかしながら、これらの文献には装置そのものの具体的構成については記載されておらず、ベルト状のものに電極が固定されていることが想定されるのみである。
【０００５】
【発明が解決しようとする課題】
しかし、ベルト状の製品構成の場合、以下のような不都合が生じると考えられる。
【０００６】
第一に、ベルト状の部材を腹部に巻く以上は、ベルトはある程度柔らかい素材にならざるを得ない。しかし、そのような柔らかい素材を使用すると、ベルト自体が変形し、水平を保持することが困難となる場合のように、各電極を所定の位置に確実に固定することが困難となる。
【０００７】
第二に、ベルトに硬いものを用いると、人体曲面に対して電極が追従しにくくなり、人体と電極との接触状態が不安定になる。
【０００８】
第三に、被験者の臍周長の長さに応じて、人体に対する電極の相対的な配置が変わってしまう。すなわち、電極はベルトに固定されているので、例えば臍基準で時計回りに巻き付けていった場合、臍周長の大きい人は相対的に電極が臍寄りの配置になってしまう。これに対し、特許文献２に記載のように、ベルトが伸縮素材からなる場合には、電極は均等に配置されるが、前述のようなベルトの柔らかさに起因する不具合が発生する。
【０００９】
第四に、臍周長の長い被験者や高齢な被験者等は、背中側に手を回す動作が難しいため、ベルトを巻く行為に不便が生じる。
【００１０】
第五に、一つの装置で、臍周長の小さな人（６０ｃｍ程度）から大きな人（１２０ｃｍ程度）を測定することが困難である。
【００１１】
本発明は、かかる従来技術の課題を解決するためになされたものであって、その目的とするところは、人体への電極の装着安定性と操作性を向上させ、測定再現性を確保できるような健康管理指針アドバイス装置を提供することである。
【００１２】
【課題を解決するための手段】
上記目的を達成するために、本発明は、被験者の腹部に接触させる複数の電極を備え、前記腹部に接触させた電極のうちいずれかの電極間のインピーダンスを測定することにより健康管理に有益な指針情報を提供する健康管理指針アドバイス装置において、前記電極を支持するベルト状部材と、前記ベルト状部材を支持するベルト状部材支持手段と、を備えた健康管理指針アドバイス装置である。
【００１３】
このように腹部に接触させる電極をベルト状部材に支持させることにより、個々の被験者の体格や体形に応じた自由度の大きい電極の配置を実現し、電極の装着安定性及び操作性を向上させることができるとともに、このベルト状部材をさらにベルト状部材支持手段に支持させることにより、測定のたびごとの電極配置のバラツキを抑制することができるので、測定再現性も向上する。
【００１４】
腹部に接触させる複数の電極の全てをベルト状部材に支持させてもよいし、その一部をベルト状部材支持手段に支持させるようにしてもよい。
【００１５】
ここで、ベルト状部材は、幅に比して延長方向に長い部材であり、電極を腹部に向けて支持するとともに、腹部に沿って巻き付けることができる部材である。但し、腹部の全周に亘る延長を有する必要は無く、腹部の周囲の一部にのみ巻き付けられるものでもよい。
【００１６】
また、前記ベルト状部材支持手段は、可撓性を有する略コの字形状部材であり、前記ベルト状部材は前記ベルト状部材支持手段に対して伸縮自在に支持されており、前記腹部に接触させる電極として、腹部の前面，側面及び背面にそれぞれ接触させる腹部前電極，脇腹電極及び背中電極を備えることが好適である。
【００１７】
ベルト状部材支持手段は、略コの字形状の開口部から被験者の腹部を差し込み、その可撓性によって腹部に対する押圧力を得るものである。略コの字形状とは、被検者の腹部を差し込む開口部を有する形状であり、略円弧形状、略多角形状を含む。
【００１８】
ベルト状部材は、それ自体が伸縮性の部材から構成されていてもよいが、非伸縮性の部材からなるがベルト状部材支持手段に対して引き出し及び巻き取り可能に支持されていてもよい。
【００１９】
また、前記脇腹電極は、前記腹部前電極と背中電極とに対して中央部に位置するようにしてもよい。
【００２０】
また、前記腹部の周囲の少なくとも一部の長さを測定する腹部周長測定手段を備えることが好適である。
【００２１】
また、前記腹部周長測定手段による測定結果を用いて前記健康管理に有益な指針情報を提供する機能を有することが好適である。
【００２２】
また、前記ベルト状部材が腹部周長測定手段を構成するようにしてもよい。
【００２３】
また、前記腹部周長測定手段は、前記ベルト状部材に沿って設けられるようにしてもよい。
【００２４】
また、前記腹部周長測定手段は、前記腹部の周囲の一部の長さを測定する機能を有し、前記腹部の周囲の一部の長さの測定値に基づいて腹部の周囲の全長を算出する腹部全周長算出手段を備えることが好適である。
【００２５】
また、前記腹部全周長算出手段によって算出された腹部の周囲の全長を表示する表示手段を備えることが好適である。
【００２６】
また、前記腹部前電極と前記背中電極との距離を調節する距離調節手段を備えることが好適である。
【００２７】
また、前記腹部前電極及び前記背中電極の少なくともいずれか一方を、前記ベルト状部材支持手段に対して揺動可能に支持する電極支持手段を備えることが好適である。
【００２８】
【発明の実施の形態】
以下、図面を参照して本発明の実施形態について説明する。
【００２９】
（第１の実施形態）
図１に本発明の第１の実施形態に係る健康管理指針アドバイス装置１を示す。
【００３０】
まず、健康管理指針アドバイス装置１の構成について説明する。
【００３１】
健康管理指針アドバイス装置１は、ベルト状部材としてのベルト体２，腹部前電極ユニット３ａ，脇腹電極ユニット３ｂ，３ｃ，背中電極ユニット３ｄ，ベルト状部材支持手段としての支持体４，把持部５からなるベルト装着ユニットを含んで構成される。
【００３２】
支持体４は、略半円弧状をなし、可撓性を有する。また、支持体４は、その周方向の中央部に被験者が把持するための把持部５を備える。支持体４の端部４ａと端部４ｂとの間の距離は、一般的な腹部の前後の厚みよりも小さく設定することが望ましい。ベルト体２は、支持体４に対して、伸縮自在に支持される。ベルト体２の端部２ａ，２ｄは支持体４の端部４ａ，４ｂにそれぞれ接続される。支持体４の一方の端部４ａには腹部前電極ユニット３ａが固定され、支持体４の他方の端部４ｂには背中電極ユニット３ｄが固定され、ベルト体２の周方向の中央部２ｂ，２ｃにそれぞれ脇腹電極ユニット３ｂ，３ｃが固定されている。腹部前電極ユニット３ａと、背中電極ユニット３ｄは、支持体４の把持部５を中心として対称的に配置されている。各電極ユニット３ａ〜３ｄは、それぞれ被験者の腹部の前面，側面及び背面に接触する電極（腹部前電極，脇腹電極，背中電極）と、電極を支持体４又はベルト体２に対して支持するための電極支持部とからなる。
【００３３】
本発明に係る健康管理指針アドバイス装置１は、腹部周囲に配置される腹部前電極ユニット３ａ，脇腹電極ユニット３ｂ，３ｃ，背中電極ユニット３ｄに設けられた電極を被験者の体表面に接触させ、いずれか二つの電極を介して電流を印加し、この電流によって生じる身体抵抗電位をいずれか二つの電極を介して検出することによりインピーダンスを測定し、併せて年齢，性別，体重，身長，腹部周囲径等の被験者の身体的特徴を特定する身体特定化情報等の情報を考慮して、体脂肪率，体脂肪量，除脂肪量等又は内臓脂肪面積等の腹部の脂肪や内臓脂肪に関する指標等の健康管理に有益な種々の指針情報を算出し提供するものである。なお、臍の高さにおける腹部周長は内臓脂肪面積と相関が高いことから、腹部周長値を使用することにより、特に内臓脂肪に関する情報の精度が向上する。インピーダンスの測定手段及び体脂肪率等の情報を算出する健康管理指針算出手段としては、公知の手段等を適宜選択して採用することができるので、ここでは詳述しない。
【００３４】
インピーダンス測定手段及び健康管理指針算出手段は、例えば、腹部前電極ユニット３ａの内部や把持部５等に設けることができるが、このような構成に限られず、有線又は無線の通信手段を介してベルト装着ユニットとは別体に設けるようにしてもよい。
【００３５】
次に、健康管理指針アドバイス装置１の使用方法について説明する。
【００３６】
まず、被験者は、支持体４の把持部５を右手で把持する。ここでは、被験者が右手で操作し、右脇腹側から差し込む構成について説明するが、左手で操作し、左脇腹側から差し込むように構成することもできる。
【００３７】
次に、支持体４の開口部すなわち端部４ａ・端部４ｂ間の間隙側を右脇腹から臍の高さでほぼ水平方向に押し付ける。このとき、被験者の右脇腹に押し付けられた支持体４は、右脇腹によって、その端部４ａ・端部４ｂ間の間隙が押し広げられる。
【００３８】
支持体４をさらに差し込むと、支持体４の端部４ａ，４ｂは被験者の腹部及び背面部に沿ってほぼ水平方向に移動する。図２に示すように、支持体４の端部４ａに位置する腹部前電極ユニット３ａが、被験者の腹部前面の所定位置（例えば、臍の数ｃｍ左方の位置）に達した状態で、支持体４を保持する。背中電極ユニット３ｄは、支持体４の把持部５を中心として対称的な位置に設けられているので、把持部５が被験者の右脇腹のほぼ側方に位置し、支持体４全体がほぼ水平となるように支持体４を保持していれば、腹部前電極ユニット３ａを身体前部の所定位置に位置決めすることにより、背中電極ユニット３ｄも同時に身体背面部の所定位置（例えば、正中線の数ｃｍ左方の位置）に位置決めすることができる。
【００３９】
腹部前電極ユニット３ａ，背中電極ユニット３ｄが、それぞれ被験者の腹部前面及び背面部の所定位置に接触した状態では、腹部前電極ユニット３ａ及び背中電極ユニット３ｄは、端部４ａ，４ｂ間が押し広げられた支持体４の復元力によってそれぞれ被験者の腹部前面及び背面部に押圧される。このとき、ベルト体２は、被験者の右脇腹を含む腹部周囲の一部に沿って伸びており、その張力によって脇腹電極ユニット３ｂ，３ｃが被験者の右脇腹に圧接する。
【００４０】
このようにして、健康管理指針アドバイス装置１では、各電極ユニット３ａ〜３ｄは、ベルト体２に支持されるとともに、腹部前電極ユニット３ａ，背中電極ユニット３ｄは支持体４にも支持されているので、電極がベルト状部材にのみ支持されている場合に比して、被験者の身体に対するより正確な位置決めが可能となり、位置再現性に優れる。また、支持体４の可撓性が、腹部前電極ユニット３ａ及び背中電極ユニット３ｄに対して、ベルト体２の伸縮性が、脇腹電極ユニット３ｂ，３ｃに対して、被験者の身体への適度な押圧力を与えるので、各電極の身体への安定した接触状態を確保することができる。
【００４１】
このように健康管理指針アドバイス装置１は、身体の側方から差し込むようにして装着するので、ベルトを腹部に巻き付ける必要が無い。従って、腹部周長の長い人でも容易に装着することができる。
【００４２】
本実施形態では、腹部に接触電極として４つの電極を設けているが、電極の数はこれに限られず、個々の電極の位置も上述のものに限られない。腹部前電極ユニット３ａ，背中電極ユニット３ｄを支持体４に固定しているが、いずれか一方のみを支持体４に固定するようにしてもよい。
【００４３】
また、被験者が把持する把持部５は、上述のように支持体に設ける場合に限られず、例えば腹部前電極ユニット３ａに設けてもよい。
【００４４】
これらの変形は、以下に説明する他の実施形態についても同様にあてはまるものである。
【００４５】
（変形例）
図３に本発明の第１の実施形態の変形例に係る健康管理指針アドバイス装置１１を示す。
【００４６】
第１の実施形態と同様の構成については、同様の符号を用いて説明を省略する。
【００４７】
健康管理指針アドバイス装置１１では、ベルト体１２の構成及び支持体４に対する支持の態様が第１の実施形態と異なる。ベルト体１２は、腹部前電極ユニット３ａ及び背中電極ユニット３ｄに設けられた孔部（不図示）に挿通されており、互いに相対移動が可能である。ベルト体１２が挿通される孔部は支持体４の端部４ａ，４ｂ、又はこれらと腹部前電極ユニット３ａ及び背中電極ユニット３ｄとの間に設けてもよい。
【００４８】
ベルト体１２の端部には被験者が握ることができるグリップ部１２ａ，１２ｂが設けられている。
【００４９】
次に、健康管理指針アドバイス装置１１の装着方法について説明する。
【００５０】
支持体４の開口部側を被験者の右脇腹に押し付けて、差し込むことによって、健康管理指針アドバイス装置１１を装着する点は第１の実施形態と同様である。
【００５１】
腹部前電極ユニット３ａ及び背中電極ユニット３ｄを被験者の身体の所定位置に接触させた後、被験者は、ベルト体１２のグリップ部１２ａ，１２ｂを左手で握り、身体左方へと引っ張る。このとき、腹部前電極ユニット３ａ及び背中電極ユニット３ｄの位置を保持したまま、ベルト体１２のみを支持体４に対して移動させることができる。
【００５２】
被験者はグリップ部１２ａ，１２ｂを握ったままでベルト体１２をさらに左方に引っ張り、脇腹電極ユニット３ｂ，３ｃが被験者の右脇腹に適度な押圧力で接触させる。このように脇腹電極ユニット３ｂ，３ｃが被験者の右脇腹に適度な押圧力で接触させ、グリップ部１２ａ，１２ｂを握った状態で保持するようにしてもよいが、面ファスナー等の係止手段を設けることにより、左脇腹側でグリップ部１２ａ，１２ｂの一方を他方に、又は互いに係止させて、ベルト体１２に一定の張力が生じた状態を保持することが好ましい。
【００５３】
（第２の実施形態）
以下に、本発明の第２の実施形態に係る健康管理指針アドバイス装置２１について説明する。第１の実施形態と同様の構成については同様の符号を用いて説明を省略する。
【００５４】
図４は使用状態における健康管理指針アドバイス装置２１を示す。
【００５５】
健康管理指針アドバイス装置２１の支持体４とベルト体２と構成及び使用方法はほぼ同一である。
【００５６】
健康管理指針アドバイス装置２１では、支持体４の端部４ｂに非伸縮性の帯状部材からなる腹部周長測定手段としての周長測定帯６が設けられている。周長測定帯６は、通常は、端部４ｂの背中電極ユニット３ｄ内部に設けられたリールに巻き付けられて収納されており、自由に引き出すことができる。リールにはその回転量を検出する手段が設けられており、リールの回転量から対応する周長測定帯６の引出量を算出することができる。また、周長測定帯６の端部６ａには腹部前電極ユニット３ａ（又は支持体４の端部４ａ）に係止させるためのフック等の係止手段が設けられている。
【００５７】
健康管理指針アドバイス装置２１の使用方法は、腹部前電極ユニット３ａ及び背中電極ユニット３ｄを被験者の身体の所定位置に接触させるまでは、第１の実施形態の場合と同様であるので、それ以降の使用方法について説明する。
【００５８】
腹部前電極ユニット３ａ及び背中電極ユニット３ｄを被験者の身体の所定位置に接触させた状態で、被験者は周長測定帯６を背中電極ユニット３ｄの内部から引き出す。
【００５９】
被験者は、左脇腹に沿って、周長測定帯６の端部６ａが腹部前電極ユニット３ａの位置に至るまで伸ばし、腹部前電極ユニット３ａに係止させる。
【００６０】
周長測定帯６の端部６ａが腹部前電極ユニット３ａに係止させた状態で、リールの回転量を検出する手段によってリールの回転量を検出する。この回転量から、背中電極ユニット３ｄから腹部前電極ユニット３ａまでの左脇腹に沿った部分周長を算出することができる。腹部前電極ユニット３ａ及び背中電極ユニット３ｄの被験者の身体に対する位置は定まっているので、この算出値は、すなわち被験者の所定部位間の左脇腹に沿った部分周長である。この部分周長値自体を体脂肪率等を算出する際に使用することもできる。
【００６１】
また、周長測定帯６を引き出して、腹部前電極ユニット３ａに係止させるという簡単な動作で、腹部周長の測定及び入力が可能となるので、操作性がよい。
【００６２】
また、腹部前電極ユニット３ａと背中電極ユニット３ｄとが支持体４に対して把持部５を中心として対称的に配置されており、腹部前電極ユニット３ａと背中電極ユニット３ｄとが正確に位置決めされるので、腹部の所定部位間の部分周長を容易に測定することができる。
【００６３】
また、上述した手順で算出された腹部の部分周長値に対して所定の演算処理を行うことにより、ベルト体２が装着されている部位における被験者の腹部全周長に換算することができる。このような演算処理は、ＲＯＭ及びＲＡＭとＣＰＵとを備える演算手段（腹部全周長算出手段）によって行うことができる。このようにして算出された全周長値を腹部前電極ユニット３ａ又は把持部５等に設けたＬＣＤ等によって構成される表示部（表示手段）に表示させることにより、被験者の健康管理のための指標として提供することもできる。
【００６４】
（変形例）
第２の実施形態では、周長測定帯６を背中電極ユニット３ｄから引き出し、左脇腹に沿って巻き付け、腹部前電極ユニット３ａに係止しているが、周長測定帯６０をベルト体２と同じ右脇腹側に設けることもできる。図５に、このような第２の実施形態の変形例に係る健康管理指針アドバイス装置２１を示す。
【００６５】
周長測定帯６０をベルト体２と同じ側に設ける場合には、周長測定帯６０の背中電極ユニット３ｄ側の端部６０ｄは、背中電極ユニット３ｄ内部に設けられたリール（不図示）に固定し、周長測定帯６０をリールに巻き付けておき、周長測定帯６０の他方の端部６０ａを腹部前電極ユニット３ａに固定しておく。このように腹部前電極ユニット３ａと背中電極ユニット３ｄとを連結する周長測定帯６０を、ベルト体２の外周（又は内周）側に配置する。
【００６６】
ベルト体２の装着動作に伴うベルト体２の伸長に応じて、周長測定体６０は、背中電極ユニット３ｄ内部のリールから引き出される。リールの回転量を検出する手段によって検出される回転量から、腹部前電極ユニット３ａと背中電極ユニット３ｄが被験者の所定位置に位置決めされた状態での周長測定帯６０の長さを算出することができる。このようにして算出された腹部前電極ユニット３ａと背中電極ユニット３ｄとの間の右脇腹に沿った部分周長に対しては、第２の実施形態において説明した手順と同様の処理を行うことができる。
【００６７】
（第３の実施形態）
以下に、本発明の第３の実施形態に係る健康管理指針アドバイス装置３１について説明する。第１及び第２の実施形態と同様の構成については同様の符号を用いて説明を省略する。
【００６８】
図６は使用状態における健康管理指針アドバイス装置３１を示す。
【００６９】
健康管理指針アドバイス装置３１の支持体４は、第１の実施形態と同様の構成を有する。
【００７０】
健康管理指針アドバイス装置３１では、ベルト体２の腹部前側の端部２ａ側の腹部前電極ユニット３ａ内部にベルト体２の張力を検出する歪みゲージ等の張力検出手段（腹部周長測定手段）を設けている。ベルト体２は、腹部前電極ユニット３ａと背中電極ユニット３ｄとの間の右脇腹に沿った部分周長に応じて伸長するので、腹部前電極ユニット３ａと背中電極ユニット３ｄを被験者の身体に対して所定の位置に位置決めした状態で、張力検出手段によってベルト体２の張力を検出する。検出された張力から腹部前電極３ａと背中電極ユニット３ｄとの間の右脇腹に沿った部分周長を算出する。腹部前電極ユニット３ａ及び背中電極ユニット３ｄの、被験者の身体に対する位置は定まっているので、この算出値は、すなわち被験者の所定部位間の右脇腹に沿った部分周長である。この部分周長値自体を体脂肪率等を算出する際に使用することができる。また、この部分周長値を、ベルト体２が装着されている部位における被験者の腹部全周長に換算し、この全周長値を腹部前電極ユニット３ａ等に設けた表示部に表示するようにしてもよい。
【００７１】
このようにすれば、健康管理指針アドバイス装置３１を装着するだけで、部分周長を測定・取得することができるので、部分周長の測定動作を別途行う必要が無く、操作性が向上する。
【００７２】
また、ベルト体２以外に部分周長を測定するために腹部に沿って巻き付ける部材を必要としないので、構造を簡素化することができる。
【００７３】
（第４の実施形態）
以下に、本発明の第４の実施形態に係る健康管理指針アドバイス装置４１について説明する。第１の実施形態と同様の構成については同様の符号を用いて説明を省略する。
【００７４】
図７は使用状態における健康管理指針アドバイス装置４１を示す。
【００７５】
健康管理指針アドバイス装置４１において、支持体４４の両端部には、それぞれ腹部前電極ユニット４３ａ及び背中電極ユニット４３ｄを連結するための連結部４４ａ，４４ｄが設けられている。腹部前電極ユニット４３ａは、被験者の身体に接触する電極を支持する電極支持部４３１ａと、電極支持部４３１ａから延びる棒状のスライド部４３２ａを備える。スライド部４３２ａは、連結部４４ａに摺動可能に支持されている。背中電極ユニット４３ｄも同様に、電極支持部４３１ｄ，スライド部４３２ｄとを備え、スライド部４３２ｄは連結部４４ｄに摺動可能に支持されている。
【００７６】
支持体４４の連結部４４ａ，４４ｄにそれぞれ支持された腹部前電極ユニット４３ａのスライド部４３２ａ及び背中電極ユニット４３ｄのスライド部４３２ｄは、いずれも支持体４４の延長方向に沿って摺動することができる。従って、腹部前電極ユニット４３ａの電極支持部４３１ａ及び背中電極ユニット４３ｄの電極支持部４３１ｄはともに支持体４４の両端部を延長し、腹部前電極ユニット４３ａ・背中電極ユニット４３ｄ間の距離を調節する機能を有する。すなわち、腹部前電極ユニット４３ａ及び連結部４４ａ並びに背中電極ユニット４３ｄ及び連結部４４ｄが距離調節手段を構成する。
【００７７】
健康管理指針アドバイス装置４１では、ベルト体４２は、端部を連結部４４ａ，４４ｄに支持されている。また、ベルト体４２には、脇腹電極ユニット４４ｂ，４４ｃのみが固定されている。
【００７８】
腹部前電極ユニット４３ａのスライド部４３２ａ及び背中電極ユニット４３ｄのスライド部４３２ｄを延ばさない場合、すなわち、腹部前電極ユニット４３ａの電極支持部４３１ａ及び背中電極ユニット４３ｄの電極支持部４３１ｄが、それぞれ連結部４４ａ，４４ｄ側に最も近づいた位置にある場合の、健康管理指針アドバイス装置４１の使用方法は、第１の実施形態の場合と同様である。
【００７９】
以下に、腹部前電極ユニット４３ａのスライド部４３２ａ及び背中電極ユニット４３ｄのスライド部４３２ｄを延ばす場合について説明する。
【００８０】
この場合には、健康管理指針アドバイス装置４１の腹部前電極ユニット４３ａと背中電極ユニット４３ｄとの間の間隙側を右脇腹から臍高さでほぼ水平方向の押し付け、支持体４４をさらに被験者の身体に向けて差し込む。
【００８１】
被験者の右脇腹側の周長が長いと、ベルト体４２が伸長され、ベルト体４２の張力によって付与される、電極の被験者の身体に対する押圧力が所定の範囲内を超えようとする限界長さまでベルト体４２が伸長されても、なお腹部前電極ユニット４３ａが所定の位置に到達しない場合がある。この場合には、被験者の身体に対して支持体４４を所定位置まで差し込んだ後に、腹部前電極ユニット４３ａのスライド部４３２ａ及び背中電極ユニット４３ｄのスライド部４３２ｄを延ばす。
【００８２】
腹部前電極ユニット４３ａの電極支持部４３１ａを被験者の身体の所定位置にまで移動させる。このとき背中電極ユニット４３ｄの電極支持部４３１ｄも腹部前電極ユニット４３ａの電極支持部４３１ａに対応する位置まで移動させることが望ましい。
【００８３】
このようにして、腹部前電極ユニット４３ａ及び背中電極ユニット４３ｄを支持体４４に対して延長した位置に配置することにより、被験者の右脇腹側の周長が長い場合でも、適切な押圧力によって各電極を被験者の身体に接触させることができる。
【００８４】
（変形例）
図８に第４の実施形態の変形例に係る健康管理指針アドバイス装置４１を示す。
【００８５】
第４の実施形態と同様の構成については同様の符号を付して説明を省略する。
【００８６】
ここでは、腹部前電極ユニット４３ａのスライド部４３３ａ及び背中電極ユニット４３ｄのスライド部４３３ｄの構成が第４の実施形態と異なる。
【００８７】
すなわち、腹部前電極ユニット４３ａのスライド部４３３ａは、支持体４４の端部４４ａ側の形状に倣った形状をなし、電極支持部４３１ａから直線状に延びる直線部４３３１ａと直線部４３３１ａに続いて曲線をなす曲線部４３３２ａとを有する。同様に、背中電極ユニット４３ｄのスライド部４３３ｄは、支持体４４の端部４４ｄ側の形状に倣った形状をなし、電極支持部４３１ｄから直線状に延びる直線部４３３１ｄと直線部４３３１ｄに続いて曲線をなす曲線部４３３２ｄとを有する。スライド部４３３ａの曲線部４３３２ａ及びスライド部４３３ｄの曲線部４３３２ｄは、把持部４５の内部に挿通されている。把持部４５の内部において、曲線部４３３２ａ，４３３２ｄは互いに対向して配置されるとともにその対向する面にはラック４３３２１ａ，４３３２１ｄが形成されており、支持体４４が略円弧形状を周とする面に直交する方向（支持体４４が水平に保持された場合には鉛直方向）の軸を中心として回転可能に支持されたギア４５１の外周に設けられた歯に噛合している。従って、腹部前電極ユニット４３ａのスライド部４３３ａを延ばすと、スライド部４３３ａの曲線部４３３２ａが、被験者の身体に対して前方へ移動し、これに伴ってギア４５１を回転させる。回転するギア４５１は、スライド部４３３ｄの曲線部４３３２ｄを、被験者の身体に対して後方へと移動させる。ラック４３３２１ａ，４３３２１ｄのピッチを同一にすることにより、腹部前電極ユニット４３ａの電極支持部４３１ａと、背中電極ユニット４３ｄの電極支持部４３１ｄとは、同じ長さだけ移動する。
【００８８】
このようにすれば、一方の電極支持部を移動させて位置決めすることにより、他方の電極支持部も最適な位置に位置決めすることができる。
【００８９】
（第５の実施形態）
以下に、本発明の第５の実施形態に係る健康管理指針アドバイス装置について説明する。第１の実施形態と同様の構成については同様の符号を用いて説明を省略する。
【００９０】
本発明は、支持体４に支持される腹部前電極ユニット３ａ及び背中電極ユニット３ｄに関し、上述した第１乃至第４のいずれの実施形態に係る健康管理指針アドバイス装置にも適用できるものである。
【００９１】
ここでは、図９（ａ）に示すように、腹部前電極ユニット３ａは、支持体４に支持される電極支持部３０１ａ及び電極支持部３０１ａに支持される電極３０２ａとを備える。以下、腹部前電極ユニット３ａについて説明するが、背中電極ユニット３ｄについても同様に構成することができる。
【００９２】
電極支持部３０１ａは、略有底円筒形状をなす。電極支持部３０１ａの開口３０１１の縁部は内径方向に屈曲し、内向きフランジ３０１２ａを形成する。電極３０２ａは、扁平な円柱形状であり、被験者の身体に接触する側の端面には、なめらかな凸曲面形状の接触部３０２１ａが形成され、他方の端面側には外径方向に突出する外向きフランジ３０２２ａが形成されている。電極支持部３０１ａの内向きフランジ３０１２ａの内径は、電極３０２ａの側面３０２３ａの外径よりも大きく、かつ、外向きフランジ３０２２ａの外径よりも小さくなるように設定されている。電極３０２ａの端面３０２４ａと電極支持部３０１ａの底面３０１３ａとの間にはコイルバネ３０３ａが介装されている。電極３０２ａは、コイルバネ３０３ａによって、外方へと付勢されているが、外向きフランジ３０２２ａが電極支持部３０１ａの内向きフランジ３０１２ａに当接することにより係止されている。従って、電極３０２ａの接触部３０２１ａが被験者の身体に接触して押圧される場合には、電極３０２ａがコイルバネ３０３ａの付勢力に抗して押し込められる。このとき、被験者の身体表面が、電極支持部３０１ａの底面３０１３ａに対して傾斜している場合でも、コイルバネ３０３ａの変形により、電極３０２ａは身体表面の傾斜に追随して揺動し、底面３０１３ａ、すなわち、支持体４に対する姿勢を変化させる。ここでは、電極支持部３０１ａ及びコイルバネ３０３ａが電極支持手段を構成する。
【００９３】
このように、支持体４の両端に支持される腹部前電極ユニット３ａ及び背中電極ユニット３ｄに設けられた電極３０２ａ等を支持体４に対して揺動自在に構成することにより、被験者の個々人によって異なる腹部形状の起伏に対して、支持体４を水平に保持しながらも、電極３０２ａ等を安定して接触させることができるので、測定安定性が向上する。
【００９４】
ここでは、電極３０２ａの端面３０２４ａと電極支持部３０１ａの底面３０１３ａとの間にコイルバネ３０３ａを介装しているが、図９（ｂ）に示すように、電極３０２ａの端面３０２４ａと電極支持部３０１ａの底面３０１３ａとの間にスポンジ等からなる弾性体３０４ａを介在させてもよい。このようにしても、同様に、電極３０２ａは電極支持部３０１ａの底面３０１３ａ、すなわち、支持体４に対して揺動することができる。
【００９５】
【発明の効果】
以上説明したように、本発明によれば、人体への電極の装着安定性と操作性を向上させ、測定再現性を確保できる健康管理指針アドバイス装置を提供することができる。
【図面の簡単な説明】
【図１】図１は本発明の第１の実施形態に係る健康管理指針アドバイス装置を示す図である。
【図２】図２は本発明の第１の実施形態に係る健康管理指針アドバイス装置の使用状態を説明する図である。
【図３】図３は本発明の第１の実施形態の変形例に係る健康管理指針アドバイス装置を示す図である。
【図４】図４は本発明の第２の実施形態に係る健康管理指針アドバイス装置の使用状態を説明する図である。
【図５】図５は本発明の第２の実施形態の変形例に係る健康管理指針アドバイス装置を示す図である。
【図６】図６は本発明の第３の実施形態に係る健康管理指針アドバイス装置の使用状態を説明する図である。
【図７】図７は本発明の第４の実施形態に係る健康管理指針アドバイス装置の使用状態を説明する図である。
【図８】図８は本発明の第４の実施形態の変形例に係る健康管理指針アドバイス装置を示す図である。
【図９】図９（ａ），（ｂ）は本発明の第５の実施形態に係る健康管理指針アドバイス装置の電極ユニットの構成を示す図である。
【符号の説明】
１，１１，２１，３１，４１　　　　　　　　健康管理指針アドバイス装置
２，１２，　　　　　　　　　　　　　　　　ベルト体
３ａ，４３ａ　　　　　　　　　　　　　　　腹部前電極ユニット
３ｂ，３ｃ，　　　　　　　　　　　　　　　脇腹電極ユニット
３ｄ，４３ｄ　　　　　　　　　　　　　　　背中電極ユニット
４，４４　　　　　　　　　　　　　　　　　支持体
５　　　　　　　　　　　　　　　　　　　　把持部
６，６０　　　　　　　　　　　　　　　　　周長測定帯
４４ａ，４４ｄ　　　　　　　　　　　　　　連結部
４３１ａ，４３１ｄ　　　　　　　　　　　　電極支持部
４３２ａ，４３２ｄ，４３３ａ，４３３ｄ　　スライド部
３０１ａ　　　　　　　　　　　　　　　　　電極支持部
３０２ａ　　　　　　　　　　　　　　　　　電極
【図１】
2004135698.tif 000003
【図２】
2004135698.tif 000004
【図３】
2004135698.tif 000005
【図４】
2004135698.tif 000006
【図５】
2004135698.tif 000007
【図６】
2004135698.tif 000008
【図７】
2004135698.tif 000009
【図８】
2004135698.tif 000010
【図９】
2004135698.tif 000011